(57)【要約】【課題】原稿搬送装置に詰まった原稿を損傷させることなく容易に引き抜くことを目的とする。【解決手段】原稿搬送装置９は、給紙ローラー５２及びホルダー５３を支持し、原稿載置部４４に載置された原稿Ｇにピックアップローラー５１が接触する給紙位置と、原稿載置部４４に載置された原稿Ｇから上方にピックアップローラー５１が離間した退避位置との間でホルダー５３が回転可能な駆動軸５４と、給紙パッド５５と、給紙パッド５５を給紙ローラー５２に向かって付勢することで給紙パッド５５を給紙ローラー５２に押し当てるコイルバネ５７とを備え、ホルダー５３は、給紙ローラー５２よりも搬送方向下流側において給紙パッド５５に対向するニップ解除ローラー６７を備え、ホルダー５３が退避位置に回転させられたときに、コイルバネ５７による付勢に抗してニップ解除ローラー６７が給紙パッド５５を押し下げることで、給紙パッド５５の給紙ローラー５２への押し当てを解除する。【選択図】図５
2020111460.tif 000002
【特許請求の範囲】
【請求項１】
原稿が載置される原稿載置部が設けられたベース部と、
前記原稿載置部に載置された原稿を搬送する給紙機構と、を備え、
前記給紙機構は、
前記原稿載置部に載置された原稿を予め定められた搬送方向に繰り出すピックアップローラーと、
前記ピックアップローラーよりも前記搬送方向下流側に配置され、前記原稿を前記搬送方向に搬送する給紙ローラーと、
前記ピックアップローラーを支持するホルダーと、
前記ベース部に設けられ、前記給紙ローラー及び前記ホルダーを支持し、前記原稿載置部に載置された原稿に前記ピックアップローラーが接触する給紙位置と、前記原稿載置部に載置された原稿から上方に前記ピックアップローラーが離間した退避位置と、の間で前記ホルダーが回転可能な駆動軸と、
前記給紙ローラーに対向する給紙パッドと、
前記給紙パッドを前記給紙ローラーに向かって付勢することで前記給紙パッドを前記給紙ローラーに押し当てる付勢部材と、を備え、
前記ホルダーは、前記給紙ローラーよりも前記搬送方向下流側において前記給紙パッドに対向するニップ解除部材を備え、
前記ホルダーが前記退避位置に回転させられたときに、前記付勢部材による付勢に抗して前記ニップ解除部材が前記給紙パッドを押し下げることで、前記給紙パッドの前記給紙ローラーへの押し当てを解除することを特徴とする原稿搬送装置。
【請求項２】
前記ニップ解除部材は、前記駆動軸と平行な従動軸周りに回転するニップ解除ローラーを備えることを特徴とする請求項１に記載の原稿搬送装置。
【請求項３】
前記給紙パッドよりも摩擦抵抗の小さい、前記給紙パッドを保持する給紙パッドホルダーを備え、
前記ニップ解除部材は、前記ホルダーが前記退避位置に回転させられたときに、前記付勢部材による付勢に抗して前記給紙パッドホルダーを押し下げることで、前記給紙パッドの前記給紙ローラーへの押し当てを解除することを特徴とする請求項１又は２に記載の原稿搬送装置。
【請求項４】
請求項１乃至３のいずれか１項に記載の原稿搬送装置を備え、
前記原稿搬送装置により搬送される原稿を読み取ることを特徴とする原稿読取装置。
【発明の詳細な説明】
【技術分野】
【０００１】
本発明は、原稿を１枚ずつ送り出す原稿搬送装置及び原稿搬送装置を備える原稿読取装置に関する。
【背景技術】
【０００２】
原稿載置部に載置された原稿を１枚ずつ繰り出す原稿搬送装置が備えられた原稿読取装置が知られている。原稿搬送装置については、原稿が詰まった場合に原稿を円滑に引き抜くための技術が検討されている。例えば、特許文献１には、原稿載置部が設けられたベース部と、ベース部に支持される給紙機構と、を備える原稿搬送装置が記載されている。この原稿搬送装置は、ピックアップローラーと給紙ローラーが支持されるホルダーと、給紙ローラーが軸支されて、ホルダーを、ピックアップローラーが原稿載置部に載置された原稿に当接する下方向及び原稿から上方に離間する上方向に回動可能に支持する駆動軸と、給紙ローラーとの間に原稿を挟持するニップを形成する分離パッドと、を有する。ホルダーには、駆動軸よりも原稿搬送方向下流側に向かって延設され、先端がニップに挟持された原稿に当接してホルダーの上方向への回動を規制する延長部が形成されている。延長部の先端は、断面形状が凸の湾曲形状に形成されている。
【先行技術文献】
【特許文献】
【０００３】
【特許文献１】特開２０１６−１５５６０８号公報
【発明の概要】
【発明が解決しようとする課題】
【０００４】
特許文献１に記載された原稿搬送装置は、詰まった原稿を引き抜くためにホルダーを上方向に回動させたときの延長部と原稿との摩擦抵抗を低減させることで、円滑に原稿を引き抜くことができるように構成されている。ところが、給紙ローラーと分離パッドとは押圧されたままであり、原稿との摩擦力により給紙ローラーを搬送時と反対の方向に回転させながら原稿を引き抜くことになるため、原稿が抜き取りにくく、また、給紙ローラーの回転軸に直交する方向以外には原稿が抜き取りにくいという問題がある。また、原稿が分離パッドから摩擦力を受けるため、原稿を損傷させてしまうおそれがある。
【０００５】
本発明は、上記事情を考慮し、詰まった原稿を損傷させることなく容易に引き抜くことのできる原稿搬送装置及び原稿読取装置を提供することを目的とする。
【課題を解決するための手段】
【０００６】
上記課題を解決するため、本発明に係る原稿搬送装置は、原稿が載置される原稿載置部が設けられたベース部と、前記原稿載置部に載置された原稿を搬送する給紙機構と、を備え、前記給紙機構は、前記原稿載置部に載置された原稿を予め定められた搬送方向に繰り出すピックアップローラーと、前記ピックアップローラーよりも前記搬送方向下流側に配置され、前記原稿を前記搬送方向に搬送する給紙ローラーと、前記ピックアップローラーを支持するホルダーと、前記ベース部に設けられ、前記給紙ローラー及び前記ホルダーを支持し、前記原稿載置部に載置された原稿に前記ピックアップローラーが接触する給紙位置と、前記原稿載置部に載置された原稿から上方に前記ピックアップローラーが離間した退避位置と、の間で前記ホルダーが回転可能な駆動軸と、前記給紙ローラーに対向する給紙パッドと、前記給紙パッドを前記給紙ローラーに向かって付勢することで前記給紙パッドを前記給紙ローラーに押し当てる付勢部材と、を備え、前記ホルダーは、前記給紙ローラーよりも前記搬送方向下流側において前記給紙パッドに対向するニップ解除部材を備え、前記ホルダーが前記退避位置に回転させられたときに、前記付勢部材による付勢に抗して前記ニップ解除部材が前記給紙パッドを押し下げることで、前記給紙パッドの前記給紙ローラーへの押し当てを解除することを特徴とする。
【０００７】
本発明に係る原稿搬送装置において、前記ニップ解除部材は、前記駆動軸と平行な従動軸周りに回転するニップ解除ローラーを備えてもよい。
【０００８】
本発明に係る原稿搬送装置において、前記給紙パッドよりも摩擦抵抗の小さい、前記給紙パッドを保持する給紙パッドホルダーを備え、前記ニップ解除部材は、前記ホルダーが前記退避位置に回転させられたときに、前記付勢部材による付勢に抗して前記給紙パッドホルダーを押し下げることで、前記給紙パッドの前記給紙ローラーへの押し当てを解除するように構成されてもよい。
【０００９】
また、本発明に係る原稿読取装置は、上記のいずれかの原稿搬送装置を備え、前記原稿搬送装置により搬送される原稿を読み取ることを特徴とする。
【発明の効果】
【００１０】
本発明によれば、原稿搬送装置に詰まった原稿を損傷させることなく容易に引き抜くことができる。
【図面の簡単な説明】
【００１１】
【図１】本発明の一実施形態に係る複合機の内部構成を模式的に示す正面図である。
【図２】本発明の一実施形態に係る原稿搬送装置の斜視図である。
【図３】本発明の一実施形態に係る原稿搬送装置の斜視図である。
【図４】本発明の一実施形態に係る原稿搬送装置の断面を示す斜視図である。
【図５】本発明の一実施形態に係る原稿搬送装置の断面図である。
【図６】本発明の一実施形態に係る原稿搬送装置の断面図である。
【図７】本発明の一実施形態に係る原稿搬送装置の断面図である。
【図８】本発明の一実施形態の変形例に係る原稿搬送装置を模式的に示す平面図である。
【発明を実施するための形態】
【００１２】
以下、図面を参照しつつ本発明の一実施形態に係る複合機１００について説明する。複合機１００は、プリンター１（画像形成装置の一例）とスキャナー８（原稿読取装置の一例）と原稿搬送装置９を備える。
【００１３】
まず、図１を参照して、複合機１００の全体の構成について説明する。図１は、複合機１００の内部構成を模式的に示す正面図である。以下、図１における紙面手前側を複合機１００の正面側（前側）とし、左右の向きは複合機１００を正面から見た方向を基準として説明する。各図において、Ｕ、Ｌｏ、Ｌ、Ｒ、Ｆｒ、Ｒｒは、それぞれ上、下、左、右、前、後を示す。
【００１４】
プリンター１は、直方体状の筐体２と、収容されたシートＳを搬送路６に送り出す給紙装置３と、フルカラーのトナー像を電子写真方式にてシートＳに形成する画像形成部４と、トナー像をシートＳに定着する定着装置５と、トナー像が定着されたシートＳが排出される排出部７と、を備える。
【００１５】
プリンター１が外部コンピューター等から画像データを受信すると、シートＳが給紙装置３から搬送路６に送り出され、画像形成部４によりシートＳにトナー像が形成され、定着装置５によりシートＳにトナー像が定着され、排出部７にシートＳが排出される。
【００１６】
スキャナー８は、光源と反射鏡を備える第１キャリッジ８１と、２つの反射鏡を備える第２キャリッジ８２と、反射光を結像させるレンズ８３と、結像した反射光を画像信号に変換する撮像素子８４と、原稿Ｇが載置されるコンタクトガラス８５と、を備える。
【００１７】
ユーザーがコンタクトガラス８５上に原稿Ｇを置いてスキャナー８に読み取りの指示を与えると、第１キャリッジ８１が速度Ｖで右方に移動するのと連動して第２キャリッジ８２が速度Ｖ／２で右方に移動する。原稿Ｇで反射された反射光は、第１キャリッジ８１の反射鏡と第２キャリッジ８２の反射鏡で反射されてレンズ８３に導かれ、撮像素子８４に結像されて画像信号に変換される。変換された画像信号は、プリンター１に出力され、画像データに変換される。
【００１８】
次に、図１乃至５を参照して、原稿搬送装置９の構成について説明する。図２は、原稿搬送装置９の斜視図である。図３は、原稿搬送装置９の斜視図である。図４は、原稿搬送装置９の断面を示す斜視図である。図５は、原稿搬送装置９の断面図である。
【００１９】
原稿搬送装置９は、シート状の原稿Ｇが載置される原稿載置部４４が設けられたベース部３１と、ベース部３１の上方に設けられたカバー部３２と、原稿載置部４４に載置された原稿Ｇを繰り出す給紙機構３４と、を備える。なお、図２及び３では、カバー部３２の図示は省略されている。
【００２０】
図２に示されるように、ベース部３１は、扁平な形状に形成された底部４０と、第１壁部４１及び第２壁部４２とを有する。ベース部３１の後縁は、筐体２のコンタクトガラス８５の後方にヒンジ結合されており、ベース部３１は、コンタクトガラス８５上の原稿Ｇを押さえる押さえ板の機能を兼ね備える。第１壁部４１は、底部４０の前縁の中央から左端にわたって設けられ、第２壁部４２は、底部４０の後縁の全体に設けられている。底部４０の上面の中央よりも右側には、排紙トレイ４３が形成されており、排紙トレイ４３の上方には、左側が低くなるように傾斜した原稿載置部４４が設けられている。原稿載置部４４には、前後方向（搬送方向と直交する方向）の原稿Ｇの端部をそろえるカーソル４５が設けられている。第１壁部４１と第２壁部４２との間の空間には、給紙機構３４が配置されている。
【００２１】
図１、５に示されるように、ホームポジションに位置する第１キャリッジ８１の反射鏡に対向する位置には、原稿ガイド板４９が配置されている。原稿ガイド板４９とコンタクトガラス８５との間に、原稿Ｇが通過する間隙が設けられている。原稿ガイド板４９はシェーディング板を兼ねている。
【００２２】
図１、４、５に示されるように、カバー部３２は、ベース部３１の第１壁部４１と第２壁部４２との間の空間を覆う板状の部材である。カバー部３２の左端部は、ベース部３１の底部４０の左端部にヒンジ結合されており、カバー部３２は、左端部を回転中心として開閉可能である。カバー部３２が閉じられると、カバー部３２とベース部３１の底部４０との間に、原稿載置部４４から原稿ガイド板４９を経て排紙トレイ４３へと向かう搬送路４６が形成される。カバー部３２が開かれると、給紙機構３４が露出する。
【００２３】
図１、２、５に示されるように、給紙機構３４は、搬送路４６の入口側において、ベース部３１の第１壁部４１と第２壁部４２との間に支持されている。給紙機構３４は、原稿載置部４４に載置された原稿Ｇを予め定められた搬送方向に繰り出すピックアップローラー５１と、ピックアップローラー５１よりも原稿搬送方向下流側に配置され、原稿Ｇを予め定められた搬送方向に搬送する給紙ローラー５２と、ピックアップローラー５１を支持するホルダー５３と、ベース部３１に設けられ、給紙ローラー５２及びホルダー５３を支持し、原稿載置部４４に載置された原稿Ｇにピックアップローラー５１が接触する給紙位置と、原稿載置部４４に載置された原稿Ｇから上方にピックアップローラー５１が離間した退避位置と、の間でホルダー５３が回転可能な駆動軸５４と、給紙ローラー５２に対向する給紙パッド５５と、給紙パッド５５を給紙ローラー５２に向かって付勢することで給紙パッド５５を給紙ローラー５２に押し当てるコイルバネ５７（付勢部材の一例）と、を備え、ホルダー５３は、給紙ローラー５２よりも原稿搬送方向下流側において給紙パッド５５に対向するニップ解除ローラー６７（ニップ解除部材の一例）を備える。
【００２４】
ピックアップローラー５１は、前後方向を軸方向とするローラーであり、芯金と、ゴム等で形成された弾性層と、を備える。ピックアップローラー５１は、原稿載置部４４に積み重ねられた原稿Ｇのうち最も上に位置する原稿Ｇに接触して左方向に繰り出す。
【００２５】
給紙ローラー５２は、前後方向を軸方向とするローラーであり、芯金と、ゴム等で形成された弾性層と、を備える。給紙ローラー５２は、ピックアップローラー５１により繰り出された原稿Ｇを搬送路４６に沿って搬送する。
【００２６】
ホルダー５３は、図３乃至５に示されるように、下部が開口した箱状に形成されており、前側に形成された第１側板６１と、後側に形成された第２側板６２と、上板６３と、左側に形成された第３側板６６と、を備える。第１側板６１と第２側板６２によりピックアップローラー５１が支持される。
【００２７】
駆動軸５４は、図２乃至５に示されるように、前後方向を長手方向として、ホルダー５３の第１側板６１及び第２側板６２の左端部に形成された貫通穴に挿入されている。駆動軸５４の前端部はベース部３１の第１壁部４１に支持され、後端部はベース部３１の第２壁部４２に支持され、モーター等の駆動源（図示省略）にギア列等を介して接続されている。駆動軸５４は、給紙ローラー５２とホルダー５３を支持し、給紙ローラー５２を駆動する。また、駆動軸５４の駆動力がタイミングベルトやギア列等（図示省略）によってピックアップローラー５１に伝達される。
【００２８】
第１側板６１と駆動軸５４との間には、トルクリミッター（図示省略）が設けられている。トルクリミッターは、駆動軸５４から第１側板６１に作用するトルクが閾値以下の場合には、駆動軸５４の両方向の駆動力を第１側板６１、すなわち、ホルダー５３に伝達してホルダー５３を駆動軸５４と共に回動させ、トルクが閾値に達した場合には、駆動軸５４を第１側板６１、すなわち、ホルダー５３に対して空転させる。駆動軸５４は、原稿載置部４４に載置された原稿Ｇにピックアップローラー５１が接触する給紙位置と、原稿載置部４４に載置された原稿Ｇから上方にピックアップローラー５１が離間した退避位置と、の間で、ホルダー５３を回転させる。
【００２９】
第１側板６１及び第２側板６２の左右方向における中央付近には、ストッパー６９が設けられている。ストッパー６９の先端は、ホルダー５３の下端よりも下方に垂下され、ストッパー６９の右面は平面状に形成されている。ストッパー６９は、ホルダー５３に対して回転可能であり、ストッパー６０の回転をロックするロック機構（図示省略）を備える。ホルダー５３が給紙位置に位置しない場合には、ロック機構によりストッパー６９が回転不能となる。ホルダー５３が給紙位置に位置する場合には、ロックが解除されてストッパー６９が回転可能となる。
【００３０】
給紙パッド５５は、給紙ローラー５２の下方に、給紙ローラー５２と対向するように配置される。給紙パッド５５は、摩擦抵抗の大きいゴム等の材料で形成されている。給紙パッド５５は、給紙パッドホルダー５６に保持されている。給紙パッドホルダー５６の前後方向の幅は、給紙パッド５５の前後方向の幅よりも広く、給紙パッド５５の前後において給紙パッドホルダー５６の上面が露出している。給紙パッドホルダー５６は、給紙パッド５５よりも摩擦抵抗の小さいフッ素樹脂等の材料で形成されている。
【００３１】
給紙パッド５５の下方には、ベース部３１に固定されたフレーム７０が設けられている。給紙パッド５５とフレーム７０との間には圧縮力が導入されたコイルバネ５７（付勢部材の一例）が挿入されており、コイルバネ５７により給紙パッド５５が給紙ローラー５２に向かって付勢されることで給紙パッド５５が給紙ローラー５２に押し当てられる。
【００３２】
ニップ解除ローラー６７は、給紙ローラー５２よりも原稿搬送方向下流側に配置され、ホルダー５３に支持されている。ホルダー５３の第３側板６６には、駆動軸５４と平行な従動軸（図示省略）が設けられ、従動軸周りにニップ解除ローラー６７が回転可能である。給紙パッド５５の前側と後側に露出した給紙パッドホルダー５６の上面に対向する位置に、それぞれ１つのニップ解除ローラー６７が配置されている。ニップ解除ローラー６７は、給紙パッド５５よりも摩擦抵抗の小さいフッ素樹脂等の材料で形成されている。
【００３３】
上記構成を備える原稿搬送装置９の原稿搬送動作を、図５乃至７を参照して説明する。
図６、７は、原稿搬送装置９の断面図である。
【００３４】
図５は、スキャナー８に読取指示が与えられる前の、原稿載置部４４への原稿Ｇの載置が可能な状態を示している。このとき、カバー部３２は閉じられており、駆動軸５４の反時計回りの回転によりホルダー５３が反時計回りに回転させられることで、ホルダー５３の上面がカバー部３２の下面に接触している。駆動軸５４の回転中心と、ピックアップローラー５１の回転中心と、ニップ解除ローラー６７の回転中心とが、ほぼ同じ高さに位置しており、ピックアップローラー５１と原稿載置部４４との間に、原稿Ｇが挿入可能な空間が形成されている。給紙パッド５５は、コイルバネ５７によって給紙ローラー５２に押し当てられており、給紙ローラー５２と給紙パッド５５との間に、原稿Ｇが挟持されるニップ領域Ｎが形成されている。この状態においては、ホルダー５３が給紙位置に位置しないため、ロック機構によりストッパー６９が回転不能となっている。ユーザーは、原稿載置部４４に原稿Ｇを載置し、ストッパー６９に触れるまで原稿Ｇを左方向に差し込む。
【００３５】
次に、ユーザーがスキャナー８に読取指示を与えると、駆動軸５４が時計回りに回転し、これに伴ってホルダー５３も時計回りに回転し、図６に示されるように、載置された原稿Ｇにピックアップローラー５１が接触してホルダー５３が給紙位置に到達し、ホルダー５３の回転が止まる。この状態においては、ホルダー５３が給紙位置に位置しているため、ロック機構によるロックが解除され、ストッパー６９が回転可能となっている。駆動軸５４からホルダー５３に作用するトルクが閾値に達すると、駆動軸５４がホルダー５３に対して空転し、ピックアップローラー５１と給紙ローラー５２が時計回りに回転する。
【００３６】
ピックアップローラー５１は、載置された原稿Ｇのうち最も上に位置する原稿Ｇを左方向に繰り出す。繰り出された原稿Ｇは、給紙ローラー５２と給紙パッド５５とのニップ領域Ｎに進入し、給紙ローラー５２によって搬送路４６に送り出される。ピックアップローラー５１が複数枚の原稿Ｇを重なった状態で繰り出した場合には、最も上に位置する原稿Ｇ以外の原稿Ｇが給紙パッド５５との摩擦抵抗によって分離され、最も上に位置する原稿Ｇだけが搬送路４６に送り出される。送り出された原稿Ｇは、搬送路４６に沿って搬送され、原稿ガイド板４９に対向する第１キャリッジ８１の光源から光を照射されて画像を読み取られ、排紙トレイ４３に排出される。
【００３７】
ニップ領域Ｎを通過中の原稿Ｇが詰まった場合には、図７に示されるように、ユーザーがカバー部３２を開け、ホルダー５３を手動で反時計回りに回転させることによりホルダー５３を退避位置に移動させる。すると、ニップ解除ローラー６７により、コイルバネ５７による付勢に抗して給紙パッドホルダー５６が押し下げられ、給紙パッド５５の給紙ローラー５２への押し当てが解除される。すなわち、ニップ領域Ｎが解除される。ユーザーは、原稿Ｇを右方向に引き抜く。ニップ領域Ｎが解除されることにより、ニップ領域Ｎが解除される前と比べて原稿Ｇを引き抜くときの抵抗が小さくなる。
【００３８】
詰まった原稿Ｇを引き抜いたならば、ユーザーは、カバー部３２を閉じる。すると、カバー部３２によってホルダー５３が押し下げられ、図５に示される状態となる。ユーザーは、原稿Ｇを原稿載置部４４に載置し直して、スキャナー８に読取指示を与える。
【００３９】
以上説明した本実施形態に係る原稿搬送装置９によれば、詰まった原稿Ｇを損傷させることなく容易に引き抜くことができる。また、給紙ローラー５２の回転軸に直交する方向以外にも容易に原稿Ｇを引き抜くことができる。
【００４０】
また、本実施形態に係る原稿搬送装置９によれば、原稿Ｇがニップ解除ローラー６７と給紙パッドホルダー５６とに挟持されている場合であっても、原稿Ｇの引き抜きに伴ってニップ解除ローラー６７が従動回転するため、ニップ領域Ｎを解除せずに原稿Ｇを引き抜く場合と比べて抵抗は軽減される。
【００４１】
また、本実施形態に係る原稿搬送装置９によれば、給紙パッドホルダー５６がフッ素樹脂等の摩擦抵抗の小さい材料で形成されているため、原稿Ｇを引き抜くときの抵抗がさらに軽減される。
【００４２】
上記実施形態が以下のように変形されてもよい。
【００４３】
図８は、上記実施形態の変形例に係る原稿搬送装置９を模式的に示す平面図である。本変形例では、ニップ解除ローラー６７の従動軸６８がホルダー５３の第１側板６１と第２側板６２とに支持され、２つのニップ解除ローラー６７が従動軸６８に設けられている。２つのニップ解除ローラー６７間の距離ＷＲ１は、原稿搬送装置９で搬送可能な最大サイズの原稿Ｇの前後方向の幅ＷＳよりも長い。給紙パッドホルダー５６の前後方向の幅ＷＨは、前側のニップ解除ローラー６７の前側の端面と後側のニップ解除ローラー６７の後側の端面との距離ＷＲ２よりも広い。この構成によれば、ニップ解除ローラー６７が給紙パッドホルダー５６を押し下げるときにニップ解除ローラー６７と給紙パッドホルダー５６との間に原稿Ｇが挟持されないから、上記実施形態と比べて、原稿Ｇを引き抜くときの抵抗がさらに軽減される。
【００４４】
ニップ解除ローラー６７に代えて、給紙ローラー５２よりも搬送方向下流側において給紙パッド５５側に突出した突起部（ニップ解除部材の一例）が備えられていてもよい。
【符号の説明】
【００４５】
８  スキャナー（原稿読取装置）
９  原稿搬送装置
３１  ベース部
３４  給紙機構
４４  原稿載置部
５１  ピックアップローラー
５２  給紙ローラー
５３  ホルダー
５４  駆動軸
５５  給紙パッド
５６  給紙パッドホルダー
５７  コイルバネ（付勢部材）
６７  ニップ解除ローラー（ニップ解除部材）
【図１】
2020111460.tif 000003
【図２】
2020111460.tif 000004
【図３】
2020111460.tif 000005
【図４】
2020111460.tif 000006
【図５】
2020111460.tif 000007
【図６】
2020111460.tif 000008
【図７】
2020111460.tif 000009
【図８】
2020111460.tif 000010